(57)【特許請求の範囲】
【請求項１】
給水元に接続される入口流路と、
前記入口流路と平行に配置され、水栓本体に接続される出口流路と、
前記入口流路と前記出口流路を連通する中間流路と、を備える偏心管であって、
前記入口流路と前記中間流路の間に形成され、前記入口流路及び前記出口流路に対して傾斜する栓取付用の傾斜孔部を備え、
前記中間流路は、その中心軸の延長線が、前記傾斜孔部の開口を通るように設けられ、
前記傾斜孔部は、
上流側に形成され、前記栓の雄ねじ部に螺合する雌ねじ部と、
前記雌ねじ部よりも下流側に形成され、前記栓の止水部が当接する止水面部と、を有し、
前記入口流路は、前記雌ねじ部の側面に接続され、
前記入口流路は、
上流側に形成される第１流路と、
下流側に形成され、前記雌ねじ部の側面に接続される第２流路と、を含んで構成され、
前記第２流路は、その中心軸が前記第１流路の中心軸に対して直交する方向に偏心するように設けられている偏心管。
【請求項２】
前記入口流路及び前記出口流路が、いずれも水平に設置された状態で、
前記傾斜孔部は、斜め下方に延びてその開口が斜め下向きに配置され、
前記傾斜孔部に取り付けられた状態で斜め下向きに配置される栓を備える請求項１に記載の偏心管。
【請求項３】
給水元に接続される入口流路と、
前記入口流路と平行に配置され、水栓本体に接続される出口流路と、
前記入口流路と前記出口流路を連通する中間流路と、を備える偏心管であって、
前記入口流路と前記中間流路の間に形成され、前記入口流路及び前記出口流路に対して傾斜する栓取付用の傾斜孔部を備え、
前記中間流路は、その中心軸の延長線が、前記傾斜孔部の開口を通るように設けられ、
前記入口流路及び前記出口流路が、いずれも水平に設置された状態で、
前記傾斜孔部は、斜め下方に延びてその開口が斜め下向きに配置され、
前記傾斜孔部に取り付けられた状態で斜め下向きに配置される栓を備え、
前記栓は、その下端部を覆う止水キャップが、当該下端部から各流路内の水を外部に排出可能な水抜きキャップと交換可能に設けられる偏心管。
【発明の詳細な説明】
【技術分野】
【０００１】
本発明は、偏心管に関する。
【背景技術】
【０００２】
従来、水栓装置は、水栓本体と、流量調節のための止水栓や配管からの異物を取り除くストレーナを有する偏心管と、を含んで構成される（例えば、特許文献１参照）。元配管と水栓本体の配管ピッチを合わせる偏心管の中間に位置する偏心部には、元配管側の入口流路と、水栓本体側の出口流路とをつなぐ中間流路が設けられている。
【先行技術文献】
【特許文献】
【０００３】
【特許文献１】特開２００４−３３２２８７号公報
【発明の概要】
【発明が解決しようとする課題】
【０００４】
しかしながら、特許文献１の偏心管では、中間流路の形成を切削加工により行うため、偏心部に開けた加工孔を別途キャップにより塞ぐ必要がある。そのため、部品点数の増加によりコストが増加するうえ、意匠性が低下するという問題があった。
【０００５】
本発明は、上記課題に鑑みなされたものであり、余分な加工孔を形成することなく成形可能な偏心管を提供することを目的とする。
【課題を解決するための手段】
【０００６】
上記目的を達成するために本発明は、給水元（例えば、後述する元配管６）に接続される入口流路（例えば、後述する入口流路３０３）と、前記入口流路と平行に配置され、水栓本体（例えば、後述する水栓本体２）に接続される出口流路（例えば、後述する出口流路３２２）と、前記入口流路と前記出口流路を連通する中間流路（例えば、後述する中間流路３１１）と、を備える偏心管（例えば、後述する偏心管３）であって、前記入口流路と前記中間流路の間に形成され、前記入口流路及び前記出口流路に対して傾斜する栓（例えば、後述する止水栓４１）取付用の傾斜孔部（例えば、後述する傾斜孔部３４）を備え、前記中間流路は、その中心軸（例えば、後述する中心軸Ｂ）の延長線が、前記傾斜孔部の開口（例えば、後述する傾斜孔部開口３４１）を通るように設けられている偏心管を提供する。
【０００７】
また、前記傾斜孔部は、上流側に形成され、前記栓の雄ねじ部（例えば、後述する雄ねじ部４２２）に螺合する雌ねじ部（例えば、後述する第１雌ねじ部３４２）と、前記雌ねじ部よりも下流側に形成され、前記栓の止水部（例えば、後述するシートパッキン４４）が当接する止水面部（例えば、後述する止水面部３０４）と、を有し、前記入口流路は、前記雌ねじ部の側面に接続されることが好ましい。
【０００８】
また、前記入口流路は、上流側に形成される第１流路（例えば、後述する第１流路３０３Ａ）と、下流側に形成され、前記雌ねじ部の側面に接続される第２流路（例えば、後述する第２流路３０３Ｂ）と、を含んで構成され、前記第２流路は、その中心軸（例えば、後述する中心軸Ａ２）が前記第１流路の中心軸（例えば、後述する中心軸Ａ１）に対して直交する方向に偏心するように設けられていることが好ましい。
【０００９】
また、前記入口流路及び前記出口流路が、いずれも水平に設置された状態で、前記傾斜孔部は、斜め下方に延びてその開口が斜め下向きに配置され、前記傾斜孔部に取り付けられた状態で斜め下向きに配置される栓を備えることが好ましい。
【００１０】
また、前記栓は、その下端部を覆う止水キャップ（例えば、後述する止水キャップ４７）が、当該下端部から各流路内の水を外部に排出可能な水抜きキャップ（例えば、後述する水抜キャップ１４７）と交換可能に設けられることが好ましい。
【発明の効果】
【００１１】
本発明によれば、余分な加工孔を形成することなく成形可能な偏心管を提供できる。
【図面の簡単な説明】
【００１２】
【図１】本発明の第１実施形態に係る水栓装置を示す斜視図である。
【図２】本発明の第１実施形態に係る水栓装置を示す側面図である。
【図３】図２に示す偏心管の縦断面図である。
【図４】図３に示す傾斜孔部を拡大して示す縦断面図である。
【図５】第２実施形態に係る水栓装置を示す側面図である。
【図６】図５に示す止水栓の縦断面図である。
【発明を実施するための形態】
【００１３】
本発明の一実施形態について、図面を参照しながら詳細に説明する。なお、第２実施形態の説明において、第１実施形態と共通する構成については、同一の符号又は共通の規則性を持って符号を付し、適宜その説明を省略する。
図１は、本発明の第１実施形態に係る水栓装置を示す斜視図である。図２は、本発明の第１実施形態に係る水栓装置１の構成を示す側面図である。図３は、図２に示す偏心管３の縦断面図である。図４は、図３に示す傾斜孔部３４を拡大して示す縦断面図である。
【００１４】
本実施形態の水栓装置１は、水栓本体２と、一対の偏心管３と、壁Ｗ裏の元配管（給水元）６と、から構成される。水栓装置１には、元配管６から給水及び給湯が行われ、水又は湯が水栓本体２のカラン側吐水部２３若しくはシャワー側吐水部２４から排出される。
【００１５】
水栓本体２は、接続部２１において偏心管３に接続することにより、壁Ｗに固定される。水栓本体２は、接続部２１と、切換ハンドル２２と、温調ハンドル２５と、カラン側吐水部２３と、シャワー側吐水部２４と、を含んで構成される。
【００１６】
切換ハンドル２２及び温調ハンドル２５は、水栓本体２の延伸方向端部において、所定方向に回動自在に構成されている。
切換ハンドル２２は、回転操作によってカラン側吐水部２３からの吐水と、シャワー側吐水部２４からの吐水との切り替えを行うと共に、各吐水部からの吐水流量を調節する。  また、温調ハンドル２５は、回転操作によって吐水の温度調整を行う。
【００１７】
カラン側吐水部２３は、水栓本体２の下面側に構成される。カラン側吐水部２３には、接続部２３Ａより、水又は湯の供給が行われる。カラン側吐水部２３は、水又は湯をカラン吐水管２３Ｂの先端に設ける吐水口２３Ｃより排出する。
【００１８】
シャワー側吐水部２４は、水栓本体２の背面側に構成される。シャワー側吐水部２４には、シャワーエルボ２４Ａより、水又は湯供給が行われる。シャワー側吐水部２４は、水又は湯をシャワーホース２４Ｂの先端に設ける、不図示のシャワーヘッドより排出する。
【００１９】
図２に示すように、偏心管３は、壁Ｗ裏の元配管６に螺着されると共に、該螺着部分を覆う椀座９によって隠蔽される。偏心管３は、一対の偏心管３を水側、湯側の元配管６に、螺合させた後、それぞれの偏心管３の回転角度を調整することにより、種々の水栓本体２が有する接続部２１の配管ピッチに合わせることができる。これにより、一対の偏心管３は、壁Ｗに対して略ハの字状に設置される。
偏心管３は、入口部３０と、偏心部３１と、出口部３２と、後述する止水栓４１と、止水栓４１の取付用の傾斜孔部３４と、により構成される。
【００２０】
入口部３０は、元配管６に螺着する接続用ねじ部３０１と、入口側開口３０２と、該入口側開口３０２から入口部３０内部に形成される入口流路３０３と、により構成される。入口部３０は、元配管６からの水又は湯を中心軸Ａに沿って下流方向に案内する。
【００２１】
入口流路３０３は、入口流路３０３の上流側に設けられる第１流路３０３Ａと、入口流路３０３の下流側に設けられる第２流路３０３Ｂと、により構成される。
第１流路３０３Ａは、上流側の入口側開口３０２と、下流側の第２流路３０３Ｂとの間に内径ｒ１を有して形成されると共に、上記中心軸Ａに平行な中心軸Ａ１を有している。
第２流路３０３Ｂは、下流側に傾斜孔部３４が接続される。第２流路３０３Ｂは、第２流路３０３Ｂの内径ｒ２が、第１流路３０３Ａの内径ｒ１よりも、小さくなるように設けられる。また、第２流路３０３Ｂの中心軸Ａ２は、第１流路３０３Ａの中心軸Ａ１に対して直交する方向に偏心するように設けられている。これにより、入口流路３０３と、第１流路３０３Ａと、第２流路３０３Ｂとは、平行になる。第２流路３０３Ｂの中心軸Ａ２は第１流路３０３Ａの中心軸Ａ１よりも傾斜孔部３４の上流部側にずれた位置に偏心するように設けられている。
【００２２】
偏心部３１は、入口部３０と、出口部３２の間に配置される。偏心部３１には、入口部３０の中心軸Ａと、出口部３３の中心軸Ｃとを平行な状態で連通させる中間流路３１１が設けられる。本実施形態において、中間流路３１１の中心軸Ｂは、中心軸Ａ及び中心軸Ｃに対して、それぞれ直交し、その延長線が後述する傾斜孔部３４の傾斜孔部開口３４１を通るように設計される。中間流路３１１の内周面を延長させても傾斜孔部３４の傾斜孔部開口３４１を通るように設計される。
【００２３】
出口部３２は、中間流路３１１に連通して設けられると共に、下流側が水栓本体２の接続部２１に接続される（図１参照）。出口部３２は、偏心部３１により、出口流路３２２内に供給される水又は湯を、出口側開口３２１から、水栓本体２に送水する。
出口側開口３２１の側周面には、Ｃリング３２３が取り付けられている。Ｃリング３２３により袋ナット２１１が出口部３２に保持され、水栓本体２と出口部３２の間にパッキン２１２を挟むように袋ナット２１１を水栓本体２に螺着することにより、接続部２１における漏水のおそれを抑制する。
【００２４】
傾斜孔部３４は、入口部３０と、偏心部３１との間において、傾斜して設けられる。傾斜孔部３４は、入口流路３０３の中心軸Ａ又は中間流路３１１の中心軸Ｂに対して、所定の角α（図中α１又はα２）傾斜した中心軸Ｄを有する。傾斜孔部３４は、止水栓４１が取り付けられることにより、入口流路３０３と、中間流路３１１との連通及び止水を行う。傾斜孔部３４には、後述する止水栓４１のスピンドル４２の雄ねじ部４２２に螺合可能な第１雌ねじ部３４２と、止水栓４１の止水キャップ４７の雄ねじ部４７Ｃに螺合可能な第２雌ねじ部３４４と、がそれぞれ設けられている。第１雌ねじ部３４２は傾斜孔部３４のうち上流側である奥側に設けられ、第２雌ねじ部３４４は傾斜孔部３４のうち下流側である手前側（傾斜孔部開口３４１側）に設けられる。
なお、第１雌ねじ部３４２の入口流路３０３側の側面３４３は、第２流路３０３Ｂに接続可能な形態に加工される。
【００２５】
図３に示す止水栓４１は、傾斜孔部３４に配置される。止水栓４１は、偏心管３内部を流通する水又は湯の流量調節機能および元配管からの異物の取り除きの機能を有する。
止水栓４１は略円筒状に形成され、内側から、スピンドル４２と、第１Ｏリング４３と、シートパッキン４４と、押圧部材４５と、ストレーナ４６と、止水キャップ４７と、第２Ｏリング４８と、を備える。
【００２６】
スピンドル４２は、略円筒状に形成されると共に、止水栓４１の略中央に配置される。スピンドル４２は上流側に大径部４２Ａを有し、下流側に小径部４２Ｂを有する。スピンドル４２は、第２流路３０３Ｂから供給される水又は湯を、大径部４２Ａに設けた開口部４２Ｃから中間流路３１１に流通するための流路を形成する一方、スピンドル４２は、このスピンドル４２を傾斜孔部３４の上流端部までねじ込んだ際に、該流路を封鎖することにより、止水する。
【００２７】
大径部４２Ａの外周部４２１には、第１雌ねじ部３４２に螺合可能な雄ねじ部４２２が形成される。
【００２８】
小径部４２Ｂの外周の上流側には、第１外周部４２３が設けられると共に、下流側には、第２外周部４２４が設けられる。第１外周部４２３は、外周部４２１よりも、スピンドル４２の半径方向内側に形成される。第１外周部４２３には、スピンドル４２を傾斜孔部３４の上流端部までねじ込んだ際に、スピンドル４２の外部に水が漏れないよう、シートパッキン４４と、該シートパッキン４４を押圧する押圧部材４５とが配置される。
第２外周部４２４は、後述する止水キャップ４７の円孔４７Ａに挿通可能な径で形成されると共に、第２外周部４２４の側面の一部に第１Ｏリング４３が配置される。第１Ｏリング４３により、漏水のおそれを抑制する。
【００２９】
スピンドル４２の下流端には、スピンドル溝部４２５が形成される。このスピンドル溝部４２５に、例えばマイナスドライバなどを嵌合し、この状態で、回転軸Ｅ周りにＲ方向に回転させることで、雄ねじ部４２２と、第１雌ねじ部３４２が螺合して、スピンドル４２が回転軸Ｅ方向に進退する。入口流路３０３及び出口流路３２２がいずれも水平に設置された状態で、傾斜孔部３４が斜め下方に延びて、その傾斜孔部開口３４１が斜め下向きに配置されるため、傾斜孔部３４に取り付けられた状態で止水栓４１は斜め下向きに配置される。そのため、スピンドル溝部４２５は設置された状態で使用者側に露出し、斜め下を向いている。
【００３０】
ストレーナ４６は、略円筒状に形成されると共に、スピンドル４２の外周を覆うように配置される。ストレーナ４６の側周面４６Ａは、所定開孔径を有するメッシュ状の金属網に形成され、内周側から外周側へ供給される水又は湯内に含まれる異物は、この側周面により捕捉される。ストレーナ４６の下端面４６Ｂは、止水キャップ４７に固定される。
なお、ストレーナ４６の側周面は、一枚の板に、所定の開口径を有する孔を設けたものも使用可能である。
【００３１】
止水キャップ４７は、略円柱状に形成される。止水キャップ４７の中心には中心軸Ｄ方向に円形に開口する円孔４７Ａが形成される。円孔４７Ａは、スピンドル４２の第２外周部４２４を有する下流端部が挿通する。
【００３２】
止水キャップ４７の上流端部４７Ｂの外周には雄ねじ部４７Ｃが形成される一方、上流端部４７Ｂの内周には凹部４７Ｄが形成される。この雄ねじ部４７Ｃは、止水キャップ４７を回転軸Ｅに回動させることにより、第２雌ねじ部３４４に螺着可能に設けられる。また、凹部４７Ｄは、ストレーナ４６の下端面４６Ｂを嵌合可能に設けられる。
【００３３】
止水キャップ４７の下流端部４７Ｅには、キャップ溝部４７Ｆが形成される。このキャップ溝部４７Ｆに、例えばマイナスドライバなどを嵌合し、この状態で、回転軸Ｅ周りにＲ方向に回転させることで、雄ねじ部４７Ｃと、第２雌ねじ部３４４が螺合して、止水キャップ４７が回転軸Ｅ方向に進退する。
また、下流端部４７Ｅの側周部４７Ｇには、第２Ｏリング４８が配置され、傾斜孔部３４から漏水のおそれを抑制する。
ストレーナ４６を外してメンテナンスする際には、スピンドル４２を傾斜孔部３４の上流端部までねじ込んで止水したあと、止水キャップ４７をストレーナ４６とともに外すことができる。
【００３４】
そして、スピンドル４２を傾斜孔部３４の上流端部までねじ込んだ際に、第２流路３０３Ｂと、中間流路３１１の間に設けられる止水面部３０４にシートパッキン４４が当接することにより第２流路３０３Ｂと中間流路３１１の間を封鎖し、止水する。
【００３５】
以上、説明した本実施形態の偏心管３は、鍛造によって形成される。
ここで、「鍛造」とは、鍛造型を用いて打撃加圧することにより偏心管３の外表部３５を形成する製造方法であり、外表部３５を形成した後、切削機械などを用いて偏心管３内の各流路を形成する。これに対し、「鋳造」とは、予め偏心管３内の各流路に対応する中子を形成した後、該中子と鋳型を使用して、偏心管３を形成する製造方法である。また、偏心管３の成形後は中子を取り除くことで成形体が完成する。以下、鍛造を用いた偏心管３の製造例について具体的に説明する。
【００３６】
まず、偏心管３の外表部３５を、鍛造型を用いて打撃加圧することにより形成する。
続いて、入口側開口３０２の位置から、ｒ１の半径を有するドリルを中心軸Ａ１に沿って通すことにより、入口側開口３０２と第１流路３０３Ａを形成する。続いて、ドリルの刃をｒ２のドリルに取り換え、中心軸Ａ２に沿って、第２流路３０３Ｂを形成する。これにより、第１流路３０３Ａと、第２流路３０３Ｂとは、互いの中心軸が所定方向において偏心した状態となる。また、図３に示すように、第２流路３０３Ｂの内周面は、少なくとも第１流路３０３Ａの内周面よりも半径方向の内側に形成されることが好ましい。
【００３７】
続いて、入口流路３０３及び中間流路３１１に対して所定の角α傾斜する中心軸Ｄに沿って、ドリルを通すことにより、傾斜孔部３４が形成される。傾斜孔部３４の内壁面に止水栓４１の取付用の各雌ねじ部が形成される。
なお、本実施形態において、傾斜孔部３４を経由して中間流路３１１内に流れ込む流量を確保するため、また適切な径の中間流路３１１を形成するために、中心軸Ａまたは中心軸Ｂと、中心軸Ｄとのなす角α１又は角α２は好ましくは４０°〜５０°の範囲で設けることが好ましく、より好ましくは、４５°である。
【００３８】
続いて、該傾斜孔部３４の傾斜孔部開口３４１から、中心軸Ｂに沿って、ドリルを通すことにより、中間流路３１１が形成される。その後、出口側開口３２１の位置から、中心軸Ｃに沿ってドリルを通すことにより、出口流路３２２が形成されると共に、この出口流路３２２は、中間流路３１１に連通される。すなわち、中心軸Ａ１、Ａ２、Ｂ、Ｃ及びＤの５つの加工軸に沿って切削加工を行うことにより、偏心管３の内部には、一つの流通経路が形成される。Ａ１、Ａ２の軸は互いに平行であり、方向が同じであるため、加工方向は４方向になる。
【００３９】
以上のように製造した偏心管３に止水栓４１を取り付けた後、該偏心管３を壁Ｗ裏に設置される元配管６に接続すると共に、水栓本体２をこの偏心管３に取り付けることにより、水栓装置１が製造される。
なお、各流路の形成の順番は上記に限られず適宣変更可能である。また、上記各流路に対応する中子を作成することにより、鋳造を用いた偏心管３の成形も可能である。
【００４０】
以上説明した、本実施形態に係る偏心管３によれば、以下の効果が奏される。
【００４１】
本実施形態に係る偏心管３では、元配管６に接続される入口流路３０３と、入口流路と平行に配置され、水栓本体２に接続される出口流路３２２と、入口流路３０３と出口流路３２２を連通する中間流路３１１と、を備える構成にした。
より詳しくは、偏心管３は、入口流路３０３と中間流路３１１の間に形成され、入口流路３０３及び出口流路３２２に対して傾斜する止水栓４１取付用の傾斜孔部３４を備える。特に、中間流路３１１は、その中心軸Ｂの延長線が、傾斜孔部３４の傾斜孔部開口３４１を通るように設けられる。
これにより、止水栓取付用の傾斜孔部を中間流路の形成に利用すると共に、この傾斜孔部３４には止水栓４１が配置される。従って、本実施形態によれば加工孔を増やすことなく成形可能な偏心管３を提供できる。
また、本実施形態によれば、切削加工により、３つの各開口を通してすべての流路を成形することが可能なため、鍛造による成形を行うことができる。従って、本実施形態に係る偏心管３は製造が容易である。つまり、本実施形態の偏心管３は鍛造等の後から加工することで流路を形成する製造方法であっても加工孔を追加する必要が無く、製造方法によらずに共通の形状とすることができる。
更には、本実施形態によれば、入口流路３０３の中心軸Ａと、出口流路３２２の中心軸Ｃと、中間流路３１１の中心軸Ｂと、傾斜孔部３４の中心軸Ｄと、の４つの軸方向の切削加工を行えばよく、加工軸方向の数を少ないものにできる。結果として、生産性を向上させることができる。
【００４２】
また、本実施形態では、傾斜孔部３４は、上流側に形成され、止水栓４１の雄ねじ部４２２に螺合する第１雌ねじ部３４２と、第１雌ねじ部３４２よりも下流側に形成され、止水栓４１のシートパッキン４４が当接する止水面部３０４と、を有する構成にした。そのため、入口流路３０３は、第１雌ねじ部３４２の側面３４３に接続される。
これにより、本実施形態によれば、第１雌ねじ部３４２よりも下流側に形成される止水面部３０４により、入口流路３０３から給水される水を止水することができる。また、これにより入口流路３０３を傾斜孔部３４の側面３４３に接続させることができるため、第１雌ねじ部３４２を避けて通る流路を形成する必要がなく、コンパクトな流路にできる。
【００４３】
また、本実施形態では、入口流路３０３は、上流側に形成される第１流路３０３Ａと、下流側に形成され、第１雌ねじ部３４２の側面に接続される第２流路３０３Ｂと、を含んで構成され、第２流路３０３Ｂは、その中心軸Ａ２が第１流路３０３Ａの中心軸Ａ１に対して直交する方向に偏心する構成にした。
これにより、入口流路３０３の中心軸をずらして第１雌ねじ部３４２に接続させることにより、傾斜孔部３４内においてねじ掛かりの減少を抑えることができる。従って、本実施形態によれば、傾斜孔部３４内部に止水栓４１をしっかりと螺合でき、止水時の耐圧性を向上できる。また、中心軸Ａ１と、中心軸Ａ２が平行であるため、加工軸方向の数を増やすことがなく、製造を複雑化させることがない。
【００４４】
また、本実施形態では、入口流路３０３及び出口流路３２２は、いずれも水平に配置され、傾斜孔部３４は、斜め下方に延びてその傾斜孔部開口３４１が斜め下向きに配置され、傾斜孔部３４に取り付けられた状態で斜め下向きに配置される止水栓４１を備える構成にした。
これにより、本実施形態によれば、止水栓４１のストレーナ４６を斜め下向きに抜き取ることができる。また、もし、ストレーナ４６が傾斜孔部３４内に残ったとしても、簡単に取り外すことが可能である。
更には、例えば特許文献１のような従来の偏心管の場合、水栓装置が設置された状態で、止水栓は壁に垂直な正面を向くことになるため、メンテナンスの際にマイナスドライバを差し込むのに水栓本体が邪魔になり作業性が悪くなる場合があった。本実施形態に係る止水栓４１は、メンテナンスの際に、斜め下方向から作業することができるため、取り外しやすく、メンテナンス性が向上する。
【００４５】
［第２実施形態］
第２実施形態の水栓装置１０１では、止水栓の止水キャップ４７を水抜キャップ１４７に変更した以外は、第１実施形態の止水栓４１と同一の構成である。ここで、図５は、第２実施形態に係る水栓装置を示す側面図である。図６は、図５に示す止水栓１４１の縦断面図である。
【００４６】
図５及び図６に示す水抜キャップ１４７は、使用者による回動自在に取り付けられており、水抜キャップ１４７の上流端部１４７Ｂの一部に、２つの水抜用切欠１４７Ｈが設けられている。また、水抜キャップ１４７の下流端部１４７Ｅの外縁部１４７Ｉには使用者がつかんで回動しやすいように止水キャップ４７よりも高さのあるグリップが設けられている。また、下流端部１４７Ｅのキャップ溝１４７Ｆは、水抜用切欠１４７Ｈの位置に対応して設けられ、水抜用切欠１４７Ｈの位置を外部から確認することができる。
【００４７】
以上の構成を備える止水栓１４１は、図５に示すように、傾斜孔部３４に取り付けた状態で、水抜キャップ１４７を回動させ、水抜用切欠１４７Ｈを傾斜孔部３４から露出させることにより、水栓装置１０１内の水Ｗａを、この水抜用切欠１４７Ｈから水栓装置１０１外部に排出させることができる。
【００４８】
本実施形態に係る偏心管１０３では、止水栓１４１は、その下端部を覆う止水キャップが、当該下端部から各流路内の水を外部に排出可能な水抜キャップ１４７と交換可能に設けられる構成にした。
これにより、キャップを水抜キャップ１４７に交換するのみで、水抜き可能な偏心管１０３を提供することができる。従って、偏心管１０３本体は、一般地及び寒冷地問わず共通のものを使用することができる。
【００４９】
尚、本発明は上述の実施形態に限定されるものではなく、本発明の目的を達成できる範囲での変形、変更等は本発明に含まれる。
例えば、本実施形態における中間流路３１１の中心軸Ｂは、入口流路３０３の中心軸Ａ及び出口流路３２２の中心軸Ｃに、それぞれ直交するように設けられたが、中心軸Ｂは、中心軸Ａ及び中心軸Ｃに対して傾斜していてもよい。
また、本実施形態では傾斜孔部３４に取り付ける栓として、流量調節機能を有する止水栓４１を例に挙げて説明したが、流量調節機能を有しない止水栓や、止水機能を有しない流量調節栓などであってもよい。
その他、本発明の要旨を逸脱しない種々の変形例や変更例は、本発明に包摂される。
【符号の説明】
【００５０】
１、１０１…水栓装置
２…水栓本体
３、１０３…偏心管
６…元配管（給水元）
３０２…入口側開口
３０３…入口流路
３０３Ａ…第１流路
３０３Ｂ…第２流路
３０４…止水面部
３１１…中間流路
３２１…出口側開口
３２２…出口流路
３４…傾斜孔部
３４１…傾斜孔部開口
３４２…第１雌ねじ部（雌ねじ部）
４１、１４１…止水栓（栓）
４２２…雄ねじ部
４４…シートパッキン（止水部）
４７…止水キャップ
Ａ１、Ａ２、Ｂ、Ｃ、Ｄ…中心軸
【図１】
0006778498.tif 000002
【図２】
0006778498.tif 000003
【図３】
0006778498.tif 000004
【図４】
0006778498.tif 000005
【図５】
0006778498.tif 000006
【図６】
0006778498.tif 000007